(57)【要約】【課題】発振出力調整回路は、半導体レーザのばらつきが大きく、可変抵抗を使用した場合、分解能が低く調整しづらく、渦電流によるレーザ劣化の発生等で、一定の発振光出力に調整できない場合があるという課題があった。【解決手段】異なる波長を発振する半導体レーザ１ａ及び１ｂと、半導体レーザ１ａ及び１ｂの発振光出力を制御するＡＰＣ回路３ａ及び３ｂと、ＡＰＣ回路３ａ及び３ｂの目標発振光出力を調整する目標発振光出力調整器１０とを備え、目標発振光出力調整器１０を固定抵抗５と可変抵抗器４との合成抵抗値とで構成し、当該構成抵抗値に基づきＡＰＣ回路３ａ及び３ｂを制御する。【選択図】図１
2007280453.tif 000002
【特許請求の範囲】
【請求項１】
複数の波長のレーザ光を発振する半導体レーザと、
前記半導体レーザから出射されたレーザ光を光ディスクに照射し、前記光ディスクの信号が反射されたレーザ光を受光する受光素子と、
前記半導体レーザの発振光出力を制御する自動出力制御回路の目標発振光出力を調整する発振光出力調整器とを備え、
前記発振光出力調整器は前記受光素子に直列に接続された１つの可変抵抗と、
前記可変抵抗に直列に接続され、前記複数の半導体レーザに１対１で対応する複数の並列接続されたパターンとで構成されることを特徴とするレーザ駆動装置。
【請求項２】
前記発振光出力調整器は、前記受光素子に直列に接続された１つの可変抵抗と、
前記可変抵抗に直列に接続され、前記複数の半導体レーザに１対１で対応する複数の固定抵抗と抵抗値切替スイッチとで構成されることを特徴とする請求項１記載のレーザ駆動装置。
【発明の詳細な説明】
【技術分野】
【０００１】
本発明は、ＤＶＤ等の光ディスクの再生又は記録を行う光ディスクドライブの光ピックアップ装置のレーザ駆動装置に関するものである。
【背景技術】
【０００２】
ＤＶＤ、ＣＤ等の光ディスクに記録された情報を読み取る光ピックアップ装置は、半導体レーザから出射したレーザ光を光ディスクの記録信号面に照射し、前記光ディスクからの反射光を受光して再生信号や制御信号を得ている。一般に半導体レーザは周囲温度や経年変化等によってその発振光出力が変化するため、光ピックアップ装置では発振光出力調整回路と、自動出力制御（Ａｕｔｏｍａｔｉｃ Ｐｏｗｅｒ Ｃｏｎｔｒｏｌ；略称：ＡＰＣ）回路によって半導体レーザの駆動電流が制御され、発振光出力が一定に保たれる。
【０００３】
因みに、ＣＤでは、光源の波長は略０．７８μｍ、収束レンズの開口数（Ｎｕｍｅｒｉｃａｌ Ａｐｅｒｔｕｒｅ：以下ＮＡと略記する）は略０．４５であるのに対し、ＤＶＤ光ディスクでは光源の波長は略０．６３μｍ〜０．６８μｍ、ＮＡは略０．６である。従って、ＣＤとＤＶＤ光ディスクの２種類の光ディスクを一つの光情報処理装置で記録再生しようとすると、２つの光学系を有する光ヘッド装置が必要になる。特に近年、多用されるようになった、ＣＤの一派生形態である追記可能なＣＤ−Ｒはディスク上の反射膜が波長０．７８μｍの波長に対して最適化されているため、ＤＶＤ用の波長では再生ができないことからＤＶＤ、ＣＤに加えてＣＤ−Ｒ記録再生まで行う光情報処理装置では波長略０．７８μｍと０．６３μｍ〜０．６８μｍの２光源を備える必要がある。
【０００４】
一方、光ヘッド装置の小型化、薄型化、低コスト化の要求からは、ＣＤとＤＶＤの光学系はできる限り共用化する方向にあり、たとえば、収束用レンズだけを、ＤＶＤ光ディスク用とＣＤ用の２種類の収束用レンズを切り換えたり、収束用レンズも共用化してＮＡだけをＤＶＤ光ディスクの時は大きく、ＣＤの時には小さくするように機械的または、光学的に変えるなどの方式がとられている。更に近年では１チップの半導体レーザに赤外レーザの発光層と赤色レーザの発光層を形成して光源をも集積化する技術が開発されてきている。また一つのパッケージ内に２種類の半導体レーザチップを実装した２波長光源も開発されている。以下、上述した２つの光源をまとめて便宜的に２波長レーザと呼ぶことにする。この２波長レーザの駆動方法については例えば特許文献１で提案されている。
【０００５】
図５に特許文献１で提案されている２波長レーザ駆動装置を簡略化した構成図を示し、半導体レーザの駆動動作を簡単に説明する。同図において、一つの半導体レーザチップの異なる発光層である第１の半導体レーザを１ａ、第２の半導体レーザを１ｂとし、ＡＰＣ回路３ａ、３ｂの目標発振光出力を調整する発振光出力調整器の目標発振光出力調整回路を１０とする。第１の半導体レーザ１ａを駆動する場合には、第１のＡＰＣ回路３ａが動作し、第１の半導体レーザ１ａが発光する。第１の半導体レーザ１ａの出射光の一部がフォトダイオード２によって受光されると、出射光の強度に応じてモニタ用受光素子２及び可変抵抗４ａを経由して接地端子に電流が流れ、可変抵抗４ａの両端に電圧が生じる。ＡＰＣ回路３ａは、可変抵抗４ａの電圧が所定の電圧になるように第１の半導体レーザ１ａに流す電流を制御することにより、第１の半導体レーザ１ａの光出力を一定に保つ。可変抵抗４ａの抵抗値は、第１の半導体レーザ１ａの光出力が所望の値になるように調整される。
【０００６】
次に、第２の半導体レーザ１ｂを駆動する場合には、第２のＡＰＣ回路３ｂが動作し、第２の半導体レーザ１ｂが発光する。２波長レーザでは図５に示すように２つの光源に対し、一つの出力モニタ用光検出器しかない場合が多いため、第２の半導体レーザチップ１ｂが発光した場合も、第２の半導体レーザチップ１ｂから光ディスクに照射されるレーザ光の一部もモニタ用受光素子２で受光する。
【０００７】
モニタ用受光素子２には第２の可変抵抗４ｂを通して電流が流れるので、第２の可変抵抗４ｂの調整値に基づいて電圧が発生し、第２の可変抵抗４ｂの抵抗値を調整することにより第２の半導体レーザ１ｂを所望の光出力で発光させることが出来る。
【特許文献１】特開２００１−２６６３８８号公報
【発明の開示】
【発明が解決しようとする課題】
【０００８】
しかしながら上記の２波長レーザ駆動装置の構成では、可変抵抗４ａ及び４ｂが必要となる。近年ますます光ピックアップ装置の小型化・低価格化が要求される中で、２つの可変抵抗をそれぞれに調整することは工数およびコストがかかり、実装面積も必要となるため、低価格化・小型化の障害となるという問題があった。
【０００９】
そこで本発明は、工数がかからず、調整が簡易で、かつ実装面積が小さい光ピックアップ装置のレーザ駆動装置を提供することを目的としてなされたものである。
【課題を解決するための手段】
【００１０】
この課題を解決するため、本発明のレーザ駆動装置は、複数の波長のレーザ光を発振する半導体レーザと、前記半導体レーザから出射されたレーザ光を光ディスクに照射し、前記光ディスクの信号が反射されたレーザ光を受光する受光素子と、前記半導体レーザの発振光出力を制御する自動出力制御回路の目標発振光出力を調整する発振光出力調整器とを備え、前記発振光出力調整器は前記受光素子に直列に接続された１つの可変抵抗と、前記可変抵抗に直列に接続され、前記複数の半導体レーザに１対１で対応する複数の並列接続されたパターン配線とで構成されるため、可変抵抗を調整することで複数の半導体レーザの発振光出力を１度に調整可能とし、小型化および調整工程の簡易化による低コスト化が達成できる。
【発明の効果】
【００１１】
以上のように、本発明のレーザ駆動装置によれば、光ピックアップの調整工数削減および小型化を可能とすることができる。
【発明を実施するための最良の形態】
【００１２】
本発明のレーザ駆動装置の最良の実施形態について、図面を参照しながら説明する。
【００１３】
（実施の形態１）
図１は、本発明のレーザ駆動装置における一実施形態の発振光出力制御に関する構成図である。同図において第１の半導体レーザ１ａを駆動する場合には、第１のＡＰＣ回路３ａが動作し、第１の半導体レーザ１ａが発光する。第１の半導体レーザ１ａの出射光の一部がモニタ用受光素子２によって受光されると、出射光の強度に応じてモニタ用受光素子２及び可変抵抗４を経由して接地端子に電流が流れ、可変抵抗４の両端に電圧が生じる。ＡＰＣ回路３ａは、可変抵抗４の電圧が所定の電圧になるように第１の半導体レーザ１ａに流す電流を制御することにより、第１の半導体レーザ１ａの光出力を一定に保つ。可変抵抗４の抵抗値は、第１の半導体レーザ１ａの光出力が所望の値になるように調整される。
【００１４】
次に、第２の半導体レーザ１ｂを駆動する場合には、第２のＡＰＣ回路３ｂが動作し、第２の半導体レーザ１ｂが発光する。モニタ用受光素子２には第２の可変抵抗４と固定抵抗５を通して電流が流れるので、可変抵抗４と固定抵抗５の合成抵抗値に基づいて電圧が発生する。
【００１５】
２つの半導体レーザの発振光出力は、一つの半導体レーザチップでから出射され、同一光学系、同一受光素子を使用していることから、従来のＣＤ／ＤＶＤそれぞれに半導体レーザチップを登載した光ピックアップ装置よりもバラツキを抑えることが可能であるため、第１の半導体レーザ１ａと第２の半導体レーザ１ｂにおける光出力の差は固定抵抗５によって決まる。
【００１６】
（実施の形態２）
図２は、本発明のレーザ駆動装置における他の実施形態の発振光出力制御に関する構成図である。同図において第１の半導体レーザ１ａを駆動する場合には、第１のＡＰＣ回路３ａが動作し、第１の半導体レーザ１ａが発光する。半導体レーザ１ａの出射光の一部がモニタ用受光素子２によって受光されると、出射光の強度に応じてモニタ用受光素子２及び可変抵抗４を経由して接地端子に電流が流れ、可変抵抗４の両端に電圧が生じる。ＡＰＣ回路３ａは、可変抵抗４の電圧が所定の電圧になるように第１の半導体レーザ１ａに流す電流を制御することにより、第１の半導体レーザ１ａの光出力を一定に保つ。可変抵抗４の抵抗値は、第１の半導体レーザ１ａの光出力が所望の値になるように調整される。
【００１７】
次に、第２の半導体レーザ１ｂを駆動する場合には、第２のＡＰＣ回路３ｂが動作し、第２の半導体レーザ１ｂが発光する。モニタ用受光素子２には可変抵抗４と固定抵抗と抵抗値切替スイッチによって構成される可変抵抗回路６を通して電流が流れるので、可変抵抗４と可変抵抗回路６の合成抵抗値に基づいて電圧が発生する。
【００１８】
２つの半導体レーザの発振光出力は、一つの半導体レーザチップから出射され、同一光学系、同一受光素子を使用していることから、従来のＣＤ／ＤＶＤそれぞれに半導体レーザチップを登載した光ピックアップ装置よりもバラツキを抑えることが可能であるため、分解能の低い可変抵抗回路６でも半導体レーザ１ｂの光出力を所望の値に調整することが可能となる。
【００１９】
発振光出力が小さくなる抵抗値にした状態で、半導体レーザを発光させ、半導体レーザのレーザ光を光ディスクの記録信号面に照射し、前記光ディスクからの反射光を受光して得た再生信号を測定し、前記再生信号量に応じて抵抗値切替スイッチを切替えることにより、発振光出力を一定範囲に調整することが可能となる。
【００２０】
なお可変抵抗回路６は固定抵抗を直列で構成したが、並列で構成することも可能である。
【００２１】
（実施の形態３）
図３は、本発明のレーザ駆動装置における別の実施形態に係る発振光出力制御に関する構成図である。同図において第１の半導体レーザ１ａを駆動する場合には、第１のＡＰＣ回路３ａが動作し、第１の半導体レーザ１ａが発光する。第１の半導体レーザ１ａの出射光の一部がモニタ用受光素子２によって受光されると、出射光の強度に応じてモニタ用受光素子２及び可変抵抗４、可変抵抗回路７を構成する固定抵抗を経由して接地端子に電流が流れ、可変抵抗４と可変抵抗回路７を構成する固定抵抗の両端に電圧が生じる。ＡＰＣ回路３ａは、可変抵抗４と可変抵抗回路７を構成する固定抵抗の電圧が所定の電圧になるように第１の半導体レーザ１ａに流す電流を制御することにより、第１の半導体レーザ１ａの光出力を一定に保つ。可変抵抗４の抵抗値は、第１の半導体レーザ１ａの光出力が所望の値になるように調整される。
【００２２】
次に、第２の半導体レーザ１ｂを駆動する場合には、第２のＡＰＣ回路３ｂが動作し、第２の半導体レーザ１ｂが発光する。モニタ用受光素子２には第２の可変抵抗４と固定抵抗と抵抗値切替スイッチによって構成される可変抵抗回路７を通して電流が流れるので、可変抵抗４と可変抵抗回路７の合成抵抗値に基づいて電圧が発生する。
【００２３】
図４は、実施の形態２または実施の形態３における抵抗切替スイッチを、電気回路パターンの銅箔によって構成される半田付ランド８と半田９とによって構成される例を挙げ説明する。この構成により、より少ない実装面積で部品を追加することなく回路を構成することが可能となる。
【００２４】
なお、可変抵抗回路７を構成する固定抵抗のうち、少なくとも１つ以上を温度補正抵抗にすることにより、温度上昇に伴い抵抗値が増加し発振光出力が減少することを補正したり、あるいは逆に温度上昇時に積極的に抵抗値を増加させて発振光出力を減少させることにより半導体レーザのチップ温度上昇を抑え動作可能温度範囲を広げる回路構成としても良い。
【産業上の利用可能性】
【００２５】
本発明にかかる光ピックアップ装置は小型化、低コスト化が可能となるので、ＤＶＤ等の光ディスクの再生又は記録を行う光ディスクドライブの光ピックアップ装置等の用途に有用である。
【図面の簡単な説明】
【００２６】
【図１】本発明のレーザ駆動装置における一実施形態の要部構成図
【図２】本発明のレーザ駆動装置における他の実施形態の要部構成図
【図３】本発明のレーザ駆動装置における別の実施形態の要部構成図
【図４】（ａ）は本発明のレーザ駆動装置に適応できる抵抗切替スイッチのオープン状態の概念構成図、（ｂ）は同抵抗切替スイッチのショート状態の概念構成図
【図５】従来のレーザ駆動装置の概略構成図
【符号の説明】
【００２７】
１ａ  第１の半導体レーザ
１ｂ  第２の半導体レーザ
２    モニタ用受光素子
３ａ、３ｂ  ＡＰＣ回路３ａ
４  可変抵抗器
５  発光量差分の固定抵抗
６、７    発光量差分調整用可変抵抗回路
８  半田付ランド
９  半田と半田付ランド
１０  目標発振光出力調整回路
【図１】
2007280453.tif 000003
【図２】
2007280453.tif 000004
【図３】
2007280453.tif 000005
【図４】
2007280453.tif 000006
【図５】
2007280453.tif 000007